(57)【要約】【課題】  メガネフレームのツル先端部に挿着されるカラフルなモダンであって、しかしこれら装飾模様などが変色したり、退色したりすることのない２重モダンの提供。【解決手段】  モダンはツル先端部に挿着する第１モダン２と該弟１モダン２に挿着される第２モダン２で構成し、第１モダン２の外周面１２には図形や模様などを形成し、第２モダン３をほぼ透明な材質で構成することで第１モダン２に形成した図形や模様などを第２モダン３を通して見ることを可能としている。【選択図】    図１
0003117366.tif 000002
【実用新案登録請求の範囲】
【請求項１】
メガネフレームのツル先端部に挿着されるモダンにおいて、該モダンはツル先端部に挿着する第１モダンと該弟１モダンに挿着される第２モダンで構成し、第１モダンの外周面には図形や模様などを形成し、第２モダンをほぼ透明な材質で構成することで第１モダンに形成した図形や模様などを第２モダンを通して見ることを可能としたメガネフレームの２重モダン。
【請求項２】
第１モダンの端部にツバを形成し、該ツバの背面を第２モダンの端面と同一形状とすることで、第１モダンと第２モダンとの間に段差をなくした請求項１記載のメガネフレームの２重モダン。
【請求項３】
メガネフレームの樹脂製ツルにおいて、該ツルは芯金に挿着する第１ツルと該弟１ツルに挿着される第２ツルで構成し、第１ツルの外周面には図形や模様などを形成し、第２ツルをほぼ透明な材質で構成することで第１ツルに形成した図形や模様などを第２ツルを通して見ることを可能としたメガネフレームの２重ツル。
【考案の詳細な説明】
【技術分野】
【０００１】
本考案はメガネフレームのツル先端部に挿着する樹脂製モダン、及び樹脂製の２重ツルに関するものである。
【背景技術】
【０００２】
メガネフレームはレンズを保持して顔に掛ける為の一種の道具であって、長時間にわたって着用しても疲れることがないように色々工夫にされている。その為に、近年のメガネフレーム、特に金属製メガネフレームではチタン等の軽くてバネ性の高い材質が好まれている。しかし、メガネは軽くて疲れ難いといった機能性のみならず、顔に掛けることでファッション性が要求されている為に、色々な装飾・デザインが施されていることも事実である。
【０００３】
バネ性に優れたチタン材を用いてスリムなメガネフレームが構成されているが、これもメガネフレームのデザインを考慮した１つである。その他に、メガネフレームの２次加工として、塗装したり、カラーメッキしたり、時には宝石等の貴金属部品を取り付けることで、メガネに高級感を与えるといった工夫も従来から行われて来ている。
【０００４】
ところで、本考案が対象とするモダンも例外ではなく、樹脂製の板材や棒材を所定形状に削り出し加工によって製作したモダンが高級なメガネフレームに挿着されている。又、一般的な製造法である射出成形モダンにあっては、２種類ないし３種類のカラー樹脂を同時に射出することで、多少は装飾効果を備えたモダンとして使用されている。しかし、このように製作した従来の装飾モダンは、印刷にて作られる装飾に比較してその効果は小さい。
【０００５】
図４は従来の一般的な金属製メガネフレームを示している。このメガネフレームはフロント部(イ)と２本のツル(ロ)、(ロ)を有し、該ツル(ロ)、(ロ)はフロント部(イ)の両側に折畳み出来るように取付けられている。そして、金属製のツル(ロ)、(ロ)の先端部には本考案が対象とする樹脂製のモダン(ハ)が挿着されている。該モダン(ハ)の中心軸部には芯穴が形成され、この芯穴にツル先端部が嵌入して取付けられている。
【０００６】
上記モダン(ハ)はツル先端部に挿着されるために、メガネを掛ける際には耳に係止し、その為に肌に接し、髪に当る。従って、仮にモダン表面に印刷などで形成したカラフルな図形及び模様は化粧品により、又整髪料により、さらには汗によって変色してしまう。フロント部(イ)に形成した装飾模様であれば、このような問題は発生しないが、モダン特有の問題として解決しなくてはならない。
【考案の開示】
【考案が解決しようとする課題】
【０００７】
このように、メガネフレームのツル先端部に取付けられる従来のモダンには上記のごとき問題がある。本考案が解決しようとする課題はこの問題点であり、カラフルな図形や模様などの装飾が形成され、しかしこれら装飾模様などが変色したり、退色したりすることのない２重モダンを提供する。又、樹脂製の２重ツルを提供する。
【課題を解決するための手段】
【０００８】
本考案に係るメガネフレームのモダンは２重構造を成しており、ツル先端部に挿着される第１モダンと該第１モダンに挿着される第２モダンとで構成している。そして、第１モダンの中心軸にはツル先端部が嵌入する細い穴を形成し、同じく第２モダンの中心軸には第１モダンが嵌入する穴が設けられている。
【０００９】
ところで、第１モダンを第２モダンに嵌めた状態でツル先端部に挿着することが出来、又は第１モダンをツル先端部に挿着した状態で第２モダンを挿着することも可能であるが、本考案では上記第１モダンの外表面に印刷などにてカラフルな図形や模様などを形成している。そして第２モダンはほぼ透明な材質からなり、第２モダンの中心穴に嵌めた第１モダンの図形や模様などを第２モダンを通して見ることが出来る。
【００１０】
一方、樹脂製ツルの場合、芯金には第１ツルを挿着し、該弟１ツルには第２ツルを装着した２重構造のツル構造としている。そして、モダンの場合と同じく、第１ツルの外周面には図形や模様が形成され、第２ツルは第１ツルの装飾模様が見えるように、ほぼ透明な材質で構成している。
【考案の効果】
【００１１】
本考案の２重モダンは第１モダンと第２モダンとの組合せで構成している。そして、第１モダンの表面にカラフルな図形や模様を形成するならば、これら図形や模様は透明な材質で構成している第２モダンを通してみることが出来る。すなわち、第２モダンの表面に図形や模様が形成されている場合と同じような装飾外観を呈し得る。しかし、これら図形や模様は第１モダンの表面に形成されている為に、メガネを掛けても肌に接することはなく、化粧品や整髪料にて図形や模様が変色したり退色することはない。すなわち、何時までもカラフルな図形や模様が持続する。これは２重ツル構造の場合も同じである。
【実施例】
【００１２】
図１は本考案に係る２重モダンを表している実施例であり、同図の１はツル、２は第１モダン、３は第２モダンを表している。ツルは細い金属製の線材から成って先端は尖っており、第１モダン２は細いパイプ状をなしているが先端には底４を有し、入口側にはツバ５を形成している。そして、中心軸には入口から底４まで連続する細い穴６が設けられている。
【００１３】
上記第１モダン２の中心軸に設けている穴６はツル１の先端部が挿着することが出来る内径を有し、第２モダンの中心軸に設けている穴７は第１モダン２が挿着出来る内径を有している。そして、第１モダン２が第２モダン３の穴７に挿着した場合に第１モダン２の底４が第２モダン３の穴底８に接するように、第１モダンのツバ５の背面９から先端までの長さＬは第２モダン３の穴７の長さＬと等しくなっている。
【００１４】
従って、第１モダン２の先端が第２モダン３の穴７に挿着して穴底８に接した状態でツバ５の背面９は第２モダン３の入口端面１０に当接することが出来る。そして入口端面１０の外径Ｄはツバ５の外径Ｄと等しくなっている為に、ツバ５と端面１との間に段差を発生することはない。
【００１５】
図２はツル１の先端部１１に挿着した２重モダンを表している。第１モダン２はツル先端部１１に挿着され、第２モダン３は第１モダン２に挿着されている。同図に示している２重モダンはストレートなツル１に挿着された状態であるが、後で概略「へ形」に曲げ成形されて耳に係止することが出来る形状と成る。
【００１６】
図３は第１モダン２を単独で表しているが、該第１モダン２は同図に示すように先端に底４を有すパイプ形状であって、しかも端部にはツバ５を形成している。そして、外周面１２には図形や模様が形成されている。ここで、図形や模様を形成する方法は特に限定することはしないが、一般には印刷による方法が採用される。
【００１７】
そして第１モダン２に挿着される第２モダンはストレートパイプではなく、一般には耳に掛け易い形状としている。又、その材質はほぼ透明と成っている為に、穴７に嵌っている第１モダン２の外周面１２に描かれる図形や模様を見ることが出来る。
【００１８】
ところで、実施例ではツル１の断面及び第１モダン２の断面を円形としているが、必ずしも円形に限るものではない。ツル断面を四角形断面とすることも出来、第１モダン２の断面も四角形とすることもある。すなわち、射出成形される第１モダンであればその穴６及び外形断面を円形に限らず四角形であっても何ら問題はない。そして、射出成形した第１モダン２の外周面１２に図形や模様を形成することが出来る。
【００１９】
一方、モダンは金属製ツルの先端部に挿着されるが、樹脂製のツルを２重構造とすることも可能である。すなわち、芯金に第１ツルを装着し、この第１ツルに第２ツルを挿着した２重構造とすることが出来る。そして、第１ツルの外周面にはカラフルな図形や模様を形成し、該図形や模様を透明な材質で構成する第２ツルを通してみることが出来る。
【図面の簡単な説明】
【００２０】
【図１】本考案に係る２重モダンの展開図。
【図２】本考案に係る２重モダンの断面図。
【図３】第１モダンの具体例。
【図４】一般的なメガネフレーム。
【符号の説明】
【００２１】
１  ツル
２  第２モダン
３  第２モダン
４  底
５  ツバ
６  穴
７  穴
８  穴底
９  背面
10  端面
11  先端部
12  外周面
【図１】
0003117366.tif 000003
【図２】
0003117366.tif 000004
【図３】
0003117366.tif 000005
【図４】
0003117366.tif 000006